(57)【要約】  【課題】  【解決手段】  円弧状で重心を有するフレーム（１２）と、一対のリム（１５）と、前記フレーム（１２）の重心にあるいはその近傍に配置された握り部分（１６）を有し、長時間心地よく保持することが可能であり、前記フレーム（１２）に固定された複数のリンリン鳴る部材（１４）を有するタイプの改良型タンバリン（１０）。この改良は、電子音ピックアップ装置（１８）を具える。電子音ピックアップ装置（１８）は、増幅器ピックアップ（２０）、あるいはｍｉｄｉピックアップ（２２）のいずれかである。増幅器ピックアップ（２０）は、フレーム（１２）の中に、握り部分（１６）の反対側に配置されており、ｍｉｄｉピックアップ（２２）は、フレームのリム対（１５）の上の握り部分（１６）の横に配置されている。この改良は、更に、フレームのリム対（１５）を覆うソフトパッドビーディング（２６）を具える。【選択図】  図１
2008516281.tif 000002
【特許請求の範囲】
【請求項１】
円弧形状で、重心を含むフレームと、一対のリムと、前記フレームの重心にあるいはその近傍に配置した、長時間心地よく保持することができるようにした握り部分と、前記フレームに固定されている複数のリンリン鳴る部材を有するタイプの改良型タンバリンにおいて、前記改良が電子音ピックアップ装置を具えることを特徴とする改良型タンバリン。
【請求項２】
請求項１に記載の改良型タンバリンにおいて、前記改良が更に前記電子音ピックアップ装置が、増幅器ピックアップを具えることを特徴とする改良型タンバリン。
【請求項３】
請求項２に記載の改良型タンバリンにおいて、前記改良が更に前記電子音ピックアップ装置の前記増幅器ピックアップが、前記フレーム内に、前記フレームの握り部分の反対側に配置されていることを特徴とする改良型タンバリン。
【請求項４】
請求項２に記載の改良型タンバリンにおいて、前記改良が更に前記電子音ピックアップ装置が更に増幅器ソケットを具えることを特徴とする改良型タンバリン。
【請求項５】
請求項４に記載の改良型タンバリンにおいて、前記改良が更に前記電子音ピックアップ装置の前記増幅器ソケットが前記フレームの前記握り部分の一方の端部に配置されていることを特徴とする改良型タンバリン。
【請求項６】
請求項４に記載の改良型タンバリンにおいて、前記改良が更に前記電子音ピックアップ装置の増幅器ソケットが、前記電子音ピックアップ装置の前記増幅器ピックアップと電気的に通信することを特徴とする改良型タンバリン。
【請求項７】
請求項１に記載の改良型タンバリンにおいて、前記改良が更に前記電子音ピックアップ装置がｍｉｄｉピックアップを具えることを特徴とする改良型タンバリン。
【請求項８】
請求項７に記載の改良型タンバリンにおいて、前記改良が更に前記電子音ピックアップ装置の前記ｍｉｄｉピックアップが、前記フレームのリム対の上に配置されていることを特徴とする改良型タンバリン。
【請求項９】
請求項８に記載の改良型タンバリンにおいて、前記改良が更に前記電子音ピックアップ装置の前記ｍｉｄｉピックアップが、前記フレームの握り部分の横に配置されていることを特徴とする改良型タンバリン。
【請求項１０】
請求項７に記載の改良型タンバリンにおいて、前記改良が更に前記電子音ピックアップ装置が更にｍｉｄｉソケットを具えることを特徴とする改良型タンバリン。
【請求項１１】
請求項１０に記載の改良型タンバリンにおいて、前記改良が更に前記電子音ピックアップ装置の前記ｍｉｄｉソケットが、前記フレームの前記握り部分の一方の端部に配置されていることを特徴とする改良型タンバリン。
【請求項１２】
請求項１０に記載の改良型タンバリンにおいて、前記改良が更に前記電子音ピックアップ装置の前記ｍｉｄｉソケットが、前記電子音ピックアップ装置の前記ｍｉｄｉピックアップと電気的に通信することを特徴とする改良型タンバリン。
【請求項１３】
請求項１に記載の改良型タンバリンにおいて、前記改良が更にソフトパッドビーディングを具えることを特徴とする改良型タンバリン。
【請求項１４】
請求項１３に記載の改良型タンバリンにおいて、前記改良が更に前記ソフトパッドビーディングが、前記フレームのリム対を覆うことを特徴とする改良型タンバリン。
【請求項１５】
請求項８に記載の改良型タンバリンにおいて、前記改良が更にソフトパッドビーディングを具えることを特徴とする改良型タンバリン。
【請求項１６】
請求項１５に記載の改良型タンバリンにおいて、前記改良が更に前記ソフトパッドビーディングが前記フレームのリム対を覆っており、これによって、前記フレームのリム対の上に配置されている前記電子音ピックアップ装置の前記ｍｉｄｉピックアップによる前記電子音ピックアップ装置の前記ｍｉｄｉピックアップを覆うことを特徴とする改良型タンバリン。
【発明の詳細な説明】
【技術分野】
【０００１】
発明の背景
発明の属する技術分野
本発明は、タンバリンに関し、特に、本発明は電子タンバリンに関する。
【０００２】
従来技術の説明
タンバリンには、以下に述べるように従来技術において様々な革新がなされてきた。これらの革新は、取り組んでいる特別な個々の目的に合うものであるが、本発明とは異なる。
【０００３】
第１の例は、Taninbaumに付与された米国特許第４，２３０，０１５号であり、これは、改良型タンバリンを教示している。このタンバリンは、円弧状フレームであって、当該フレームに固定された複数のリンリン鳴る部材を有するフレームを具え、このフレームは、リムの重心にあるいはその近傍に、タンバリンが長時間心地よく保持されるように配置した握り部分を具える。ハンドルは、必要に応じて、詰め物をした部分を具え、リムの幾何学的中心近くに配置することができる。
【０００４】
第２の例は、Wangに付与された米国意匠特許第３０６，６０８号であり、これは、タンバリンまたは同様の物品の装飾デザインを教示している。
【０００５】
第３の例は、Greyに付与された米国意匠特許第３３６，４８８号であり、これは、タンバリンの装飾デザインを教示している。
【０００６】
第４の例は、Huth III世に付与された米国特許第５，３７７，５７５号であり、これは、必要に応じて様々な音を出すことができるハンドヘルドのパーカッションを教示している。この音には、タンバリンからくる典型的なシンバルの音、タンバリンの開放側に張られたドラムの音、ハンドル内部の中空チャンバ内に含まれる多数の球粒から生じるマラカスの音であって、ハンドルの開口を選択的に覆ったり、覆わなかったりすることで調整される音、及び、タンバリンからいくらか距離を置いたハンドルの端部に配置した孤立したシンバルの音、を含む。
【０００７】
第５の例は、Hartに付与された米国特許第５，９１５，２８９号であり、これは、電子シンバル装置を教示している。この装置は、導電性の打面を打った衝撃によって生じる長く延びた共鳴するアコースティックな音の振動反応を大幅に短くして、このような短くした振動反応を、限定するものではないが圧電トランスデューサなどのトランスデューサで拾えるようにしたものである。この電子シンバル装置は、限定するものではないが、広いつば付帽子の形状をした従来のシンバル基板を用いている。この従来のシンバル基板の使用により、音楽家は、電子シンバル装置を演奏しながらも、従来のアコースティックな「打つ」技術を用いることができる。
【０００８】
第６の例は、Hoshinoに付与された米国特許第６，２３９，３４３号であり、これは、シンバルホルダを教示している。このシンバルホルダは、取り付けホールを有する支持部材と；このホールに取り付けられた保持ロッドであって、取り付けホールの上に下側領域を保持するツールと、スクリュねじを設けた上側領域を有するロッドと；保持ロッドの周囲に配置した筒状部と、長さ方向の中間部に半径方向に突出した受け部を有する筒状のシンバル受けツールと；前記ツールの筒状部上にあるシンバルと；前記ツールの筒状部の受け部とシンバルの間にある下側弾性部材と；シンバルの上にあり、前記ロッドのスクリュねじに締め付けられたナットによって保持されている上側弾性部材と；を有し、シンバル受け部は、シンバル受けツールの筒状部材の長さの中間部に、シンバル受けツールが受け部の上のいずれかの側部に上下して取り付けられるようになっており、必要に応じてツールが逆になるようにしている。
【０００９】
従来技術において提供されているタンバリンに数々の革新が行われていることは明らかである。 更に、これらの革新は取り組んでいる特定の個々の目的に合致するが、以下に述べる本発明の目的には合致しない。
【００１０】
発明の概要
従って、本発明の目的は、従来技術の欠点を克服した電子タンバリンを提供することである。
【００１１】
本発明のもう一つの目的は、使用が簡単な電子タンバリンを提供することである。
【００１２】
簡単に述べると、本発明の更なる目的は、円弧状で重心を有するフレームと、一対のリムと、前記フレームの重心にあるいはその近傍に配置された握り部分を有し、長時間心地よく保持することが可能であり、複数のリンリン鳴る部材をフレームに固定したタイプの改良型タンバリンを提供することである。この改良は、電子音ピックアップ装置を具える。電子音ピックアップ装置は、増幅器ピックアップ、あるいはｍｉｄｉピックアップのいずれかである。増幅器ピックアップは、フレームの中に、握り部分の反対側に配置されており、ｍｉｄｉピックアップは、フレームのリム対の上の握り部分の横に配置されている。この改良は、更に、フレームのリム対を覆う柔軟なパッドビーディングを具える。
【００１３】
本発明の特徴と考えられる新規な特徴は、特許請求の範囲に記載されている。しかしながら、発明自体は、追加の目的と利点を伴うその構造と、操作方法の両方に関するものであり、添付の図面に関連させて特定の実施例の以下の記載を読むことで、最もよく理解される。
【００１４】
好ましい実施例の詳細な説明
ここで、図面を参照すると、同じ符号は同じ部分を表示している。特に図１−４は、それぞれ、使用状態にある本発明の電子タンバリンの概略図であり、図１の矢印２で示す方向に見た本発明の電子タンバリンの概略平面図であり、  図２の矢印３で示す方向に見た概略背面図であり、図３の線４−４に沿った概略断面図であり、本発明の電子タンバリンは、通常、符号１０で示されている。
【００１５】
電子タンバリン１０は、円弧状で、重心を有するフレーム１２と、一対のリム１５と、フレーム１２の重心にあるいはその近傍に長時間心地よく保持することができるように配置された握り部分１６と、フレーム１２に固定された複数のリンリンなる部材１４を具える。
【００１６】
電子タンバリン１０は、電子音ピックアップ装置１８を具える。この電子音ピックアップ装置１８は、増幅器ピックアップ２０と、ｍｉｄｉピックアップ２２のうちのいずれか一方である。
【００１７】
電子音ピックアップ装置１８の増幅器ピックアップ２０は、フレーム１２内に、フレーム１２の握り部分１６の反対側に配置されている。
【００１８】
電子音ピックアップ装置１８のｍｉｄｉピックアップ２２は、フレーム１２のリム対１５の上に、フレーム１２の握り部分１６の横に配置されている。
【００１９】
電子音ピックアップ装置１８は、更に、増幅器／ｍｉｄｉソケット２４を具えている。電子音ピックアップ装置１８の増幅器／ｍｉｄｉソケット２４は、フレーム１２の握り部分１６の一方の端部に配置されている。
【００２０】
電子音ピックアップ装置１８の増幅器／ｍｉｄｉソケット２４は、電子音ピックアップ装置１８の増幅器ピックアップ２０と電子音ピックアップ装置１８のｍｉｄｉピックアップ２２の一方に、どちらがあるかに依存して、電気的に通信する。
【００２１】
電子タンバリン１０は、更に、ソフトパッドビーディング２６を具える。ソフトパッドビーディング２６は、フレーム１２のリム対１５を覆っており、これによって、フレーム１２のリム対１５上に配置された電子音ピックアップ装置１８のｍｉｄｉピックアップ２２が存在する場合は、電子音ピックアップ装置１８のｍｉｄｉピックアップ２２を覆っている。
【００２２】
上述した各エレメント、または二つ又はそれ以上のエレメントは、上述したタイプのものと異なる構造のその他のタイプの有益なアプリケーションがあることは明らかである。
【００２３】
本発明は、電子タンバリンに埋め込まれたものとして例に示して説明したが、例示したデバイスとその動作の様々な削除、変形、交換、形および詳細の変更が、本発明の精神から外れることなく、当業者には明らかであるので、ここに示した詳細に限定されるものではない。
【００２４】
更に分析することなく、上記説明は、本発明の概要を完全に明らかにするものである。本発明の一般的なあるいは特定の態様の特徴をきちんと構成する特徴を、従来技術の観点から取り除くことなく、現在の知識を適用して、様々なアプリケーションに容易に適用することができる。
【図面の簡単な説明】
【００２５】
図面の特徴を以下に簡単に述べる。
【図１】図１は、使用状態にある本発明の電子タンバリンの概略図である。
【図２】図２は、図１の矢印２で示す方向に見た本発明の電子タンバリンの概略平面図である。
【図３】図３は、図２の矢印３で示す方向に見た概略背面図である。
【図４】図４は、図３の線４−４に沿った概略断面図である。
【符号の説明】
【００２６】
１０  本発明の電子タンバリン
１２  フレーム
１４  複数のリンリン鳴る部材
１５  フレーム１２のリム対
１６  フレーム１２の握り部分
１８  電子音ピックアップ装置
２０  電子音ピックアップ装置１８の増幅器ピックアップ
２２  電子音ピックアップ装置１８のｍｉｄｉピックアップ
２４  電子音ピックアップ装置１８の増幅器／ｍｉｄｉソケット
２６  ソフトパッドビーディング
【図１】
2008516281.tif 000003
【図２】
2008516281.tif 000004
【図３】
2008516281.tif 000005
【図４】
2008516281.tif 000006
【国際調査報告】
2008516281.tif 000007